(57)【要約】      （修正有）【課題】筐体表面からリベットの頭部が突出することがなく、併せて筐体の補強が出来るキャビネットボックスを提供する。【解決手段】天板、側板３、背面板、底板６のうちの少なくとも何れか１つの表面側にリベットの頭部の高さに対応する凹部９ａが複数形成されると共に、凹部９ａにリベット挿通孔９ｃが形成され、凹部９ａのキャビネットボックス１の内側に突出する凸部９ｂの形状に対応した断面形状を有すると共に、複数の凹部９ａに亘って連続され、該凹部９ａに形成されたリベット挿通孔９ｃに対応する位置にリベット挿通孔10ａが形成された長尺状の補強接合部材10を有し、凹部９ａのキャビネットボックス１の内側に突出する凸部９ｂに沿って補強接合部材10の溝部10ｄを被せ、互いのリベット挿通孔９ｃ，10ａにリベットを挿通してリベット止めした構成であることを特徴とする。【選択図】図２
2012085912.tif 000002
【特許請求の範囲】
【請求項１】
天板と側板と背面板と底板とを有し、前面側が開口した略矩形箱状に形成されたキャビネットボックスであって、
前記天板、前記側板、前記背面板、前記底板のうちの少なくとも何れか１つの表面側にリベットの頭部高さに対応する凹部が複数形成されると共に、該凹部にリベット挿通孔が形成され、
前記凹部の前記キャビネットボックスの内側に突出する凸部形状に対応した断面形状を有すると共に、前記複数の凹部に亘って連続され、該凹部に形成されたリベット挿通孔に対応する位置にリベット挿通孔が形成された長尺状の補強接合部材を有し、
前記凹部の前記キャビネットボックスの内側に突出する凸部に沿って前記補強接合部材を被せ、互いの前記リベット挿通孔にリベットを挿通してリベット止めしたことを特徴とするキャビネットボックス。
【請求項２】
前記補強接合部材の一部が該補強接合部材がリベット止めされた部材以外の部材に接合されたことを特徴とする請求項１に記載のキャビネットボックス。
【発明の詳細な説明】
【技術分野】
【０００１】
本発明は、天板と側板と背面板と底板とを有し、前面側が開口した略矩形箱状に形成されたパチンコ台やスロット台等の遊戯機の筐体として使用されるキャビネットボックスに関するものである。
【背景技術】
【０００２】
従来、パチンコ台やスロット台等の遊戯機の筐体として軽量化と製造コストの観点から木版合成板等の筐体が使用されていた。しかしながら、木製の筐体を廃棄処分する場合に、焼却処理では、この木版合成板に接着剤等が使用されているために、ダイオキシンが発生するという問題があり、大きな環境問題となってきていることから筐体をリサイクル可能な金属材料で構成することが望まれている。例えば、特開２００２−０６５９４５号公報（特許文献１）には金属板筐体の組み付けにおける側板の接合をリベット接合したものが提案されている。
【先行技術文献】
【特許文献】
【０００３】
【特許文献１】特開２００２−０６５９４５号公報
【発明の概要】
【発明が解決しようとする課題】
【０００４】
しかしながら、特許文献１の金属板の板厚は０．８ｍｍ程度の薄板で構成され、前面側が開口した構造の筐体で、且つその開口部にヒンジ部材により比較的重量のあるフロントパネルを開閉可能に取り付ける必要があることから筐体の強度の確保が要求されていた。また、パチンコ店ホールに設けられる遊戯機設置棚は、一般に遊技機の底板、天板の高さに合わせた隙間に遊技機を挿入する構成とされているため底板及び天板もリベット止めすると筐体表面から突出するリベットの頭部が支障となって遊技機設置棚に遊技機が挿入できないといった問題があった。
【０００５】
本発明は前記課題を解決するものであり、その目的とするところは、筐体表面からリベットの頭部が突出することがなく、併せて筐体の補強が出来るキャビネットボックスを提供せんとするものである。
【課題を解決するための手段】
【０００６】
前記目的を達成するための本発明に係るキャビネットボックスの第１の構成は、天板と側板と背面板と底板とを有し、前面側が開口した略矩形箱状に形成されたキャビネットボックスであって、前記天板、前記側板、前記背面板、前記底板のうちの少なくとも何れか１つの表面側にリベットの頭部高さに対応する凹部が複数形成されると共に、該凹部にリベット挿通孔が形成され、前記凹部の前記キャビネットボックスの内側に突出する凸部形状に対応した断面形状を有すると共に、前記複数の凹部に亘って連続され、該凹部に形成されたリベット挿通孔に対応する位置にリベット挿通孔が形成された長尺状の補強接合部材を有し、前記凹部の前記キャビネットボックスの内側に突出する凸部に沿って前記補強接合部材を被せ、互いの前記リベット挿通孔にリベットを挿通してリベット止めしたことを特徴とする。
【０００７】
また、本発明に係るキャビネットボックスの第２の構成は、前記第１の構成において、前記補強接合部材の一部が該補強接合部材がリベット止めされた部材以外の部材に接合されたことを特徴とする。
【発明の効果】
【０００８】
本発明に係るキャビネットボックスの第１の構成によれば、キャビネットボックスの筐体となる天板、側板、背面板、底板の表面側にリベットの頭部高さに対応する凹部を形成したことで該凹部内にリベットの頭部を収容した状態でリベット止めが出来、筐体表面からリベットの頭部が突出することがない。また、複数の凹部のキャビネットボックスの内側に突出する凸部に沿って長尺状の補強接合部材を被せ、筐体の凹部に設けられたリベット挿通孔と該補強接合部材に設けられたリベット挿通孔にリベットを挿通してリベット止めすることで、筐体が補強接合部材により補強される。
【０００９】
また、本発明に係るキャビネットボックスの第２の構成によれば、補強接合部材がリベット止めされた部材以外の部材に該補強接合部材の一部が接合されたことで、筐体を構成する部材同士、或いは筐体と他の部材とを補強接合部材を介して強固に接合することが出来る。
【図面の簡単な説明】
【００１０】
【図１】本発明に係るキャビネットボックスの構成を示す斜視図である。
【図２】（ａ），（ｂ）は底板に設けたリベットの頭部が収容される複数の凹部に対応するキャビネットボックスの筐体内側の凸部に亘って補強接合部材を被せて配置する様子を示す分解斜視図である。
【図３】本発明に係るキャビネットボックスを底板側から天板の内面側を見た様子を示す斜視説明図である。
【図４】（ａ）〜（ｄ）はキャビネットボックスの底板に接合される補強接合部材の構成を示す平面図、正面図、左側面図及び右側面図、（ｅ）は（ａ）のＡ−Ａ断面図である。
【図５】キャビネットボックスの底板に接合される補強接合部材の構成を示す斜視図である。
【図６】（ａ）〜（ｄ）はキャビネットボックスの天板に接合される補強接合部材の構成を示す平面図、正面図、左側面図及び右側面図、（ｅ）は（ａ）のＢ−Ｂ断面図である。
【図７】キャビネットボックスの天板に接合される補強接合部材の構成を示す斜視図である。
【図８】（ａ），（ｂ）はリベット止めを行う様子を示す断面説明図である。
【発明を実施するための形態】
【００１１】
図により本発明に係るキャビネットボックスの一実施形態を具体的に説明する。
【００１２】
図１及び図３において、１はパチンコ台やスロット台等の遊戯機の筐体として使用され、例えば厚さ０．８ｍｍ程度のメッキ鋼板やアルミニウム板等の金属板をプレス成形により作成されたキャビネットボックスであり、天板２と側板３，４と背面板５と底板６とを有し、前面側が開口した略矩形箱状に形成される。尚、本実施形態では、天板２と左右側板３，４とは連続した金属板をコの字形状に折り曲げて構成された一例である。キャビネットボックス１の開口した前面側には図示しないヒンジ部材により開閉可能な図示しないフロントパネルが取り付けられる。
【００１３】
筐体となる天板２、側板３，４、背面板５、底板６のうちの少なくとも何れか１つの表面側にはリベット８の頭部８ａの高さに対応する凹部９ａが複数形成され、該凹部９ａにはリベット挿通孔９ｃが形成されている。
【００１４】
一方、図４及び図５に示す補強接合部材10は筐体となる底板６の内面にリベット止めにより接合され、図６及び図７に示す補強接合部材10は筐体となる天板２の内面にリベット止めにより接合される。図４〜図７に示す補強接合部材10は、キャビネットボックス１の筐体表面に設けられた凹部９ａの該キャビネットボックス１の内側に突出する凸部９ｂの形状に対応した断面形状の溝部10ｄを有する。補強接合部材10はキャビネットボックス１の筐体表面に設けられた複数の凹部９ａに亘って連続される長尺状で構成され、補強接合部材10の溝部10ｄには凹部９ａに形成されたリベット挿通孔９ｃに対応する位置にリベット挿通孔10ａがそれぞれ形成されている。
【００１５】
また、補強接合部材10の一部としての両端部には該補強接合部材10本体となる第１の接合片10ｅから垂直に起立した略三角形状の第２の接合片10ｂが設けられ、該第２の接合片10ｂにはリベット挿通孔10ｃが設けられている。第２の接合片10ｂは、図４（ｂ）及び図６（ｂ）に示すように、第１の接合片10ｅとの接合部の両端部10b1，10b2と頂点部10b3とが略三角形状に形成されている。
【００１６】
図２に示すように、キャビネットボックス１の筐体表面に設けられた凹部９ａの該キャビネットボックス１の内側に突出する凸部９ｂに沿って補強接合部材10の溝部10ｄを嵌合して被せ、互いのリベット挿通孔９ｃ，10ａにリベット８を挿通してリベット止めする。
【００１７】
ここで、図８を用いてリベット止めを行う様子について説明する。本実施形態に用いられるリベット８はブラインドリベットと言われるもので、該リベット８内には貫通路８ｂが形成されており、該貫通路８ｂ内には引きピン11が挿通可能とされている。引きピン11の一端部には、貫通路８ｂの内径よりも大径の拡径部11ａが形成されており、該拡径部11ａの基部には貫通路８ｂの内径よりも小径の折曲部11ｂが形成されている。尚、リベット８はアルミニウム製、鉄製、ステンレス製等の種々の材質のものが適用可能である。
【００１８】
そして、図８（ａ）に示されるように、キャビネットボックス１の筐体表面に設けられた凹部９ａに形成されたリベット挿通孔９ｃに、補強接合部材10の溝部10ｄに形成されたリベット挿通孔10ａを合致させた後にキャビネットボックス１の筐体表面に設けられた凹部９ａ側からリベット８を差し込む。そのとき、凹部９ａ内にリベット８の頭部８ａ全体が突出することなく収容される。その状態で図示しない所定の工具を使用して引きピン11を図８（ａ）の矢印ａ方向に引くと、引き込まれた拡径部11ａが図８（ｂ）に示すようにリベット８の端部８ｃに係止され、リベット８の端部８ｃが変形される。さらに引き込まれた拡径部11ａの移動が貫通路８ｂにおける補強接合部材10のリベット挿通孔10ａ近傍位置にて規制された時点で、リベット８の変形した端部８ｃとリベット８の頭部８ａとによりキャビネットボックス１の筐体と補強接合部材10とが挟持された状態となり、その後、引きピン11をさらに強く引っ張ることにより、折曲部11ｂから先端部11ｃが折れて分離する。
【００１９】
図４及び図５に示す補強接合部材10の第２の接合片10ｂは、図１及び図２に示すように、該補強接合部材10がリベット止めされた部材となる底板６以外の部材となる左右側板３，４の一部となる筐体の前面側の開口内側に向かって張り出した張出部３ａ，４ａの表面に設けられた凹部９ａのリベット挿通孔９ｃと第２の接合片10ｂのリベット挿通孔10ｃ内に該凹部９ａ側からリベット８を挿入すると共に、該凹部９ａ内にリベット８の頭部８ａが収容されて前述したと同様にリベット止めにより接合される。一方、図６及び図７に示す補強接合部材10の第２の接合片10ｂは、図３に示すように、該補強接合部材10がリベット止めされた部材となる天板２以外の部材となる左右側板３，４の一部となる筐体の前面側の開口内側に向かって張り出した張出部３ａ，４ａの表面に設けられた凹部９ａのリベット挿通孔９ｃと第２の接合片10ｂのリベット挿通孔10ｃ内に該凹部９ａ側からリベット８を挿入すると共に、該凹部９ａ内にリベット８の頭部８ａが収容されて前述したと同様にリベット止めにより接合される。
【００２０】
上記構成によれば、キャビネットボックス１の筐体となる天板２、側板３，４、背面板５、底板６の表面側にリベット８の頭部８ａの高さに対応する凹部９ａを形成したことで該凹部９ａ内にリベット８の頭部８ａを収容した状態でリベット止めが出来、筐体表面からリベット８の頭部８ａが突出することがない。また、複数の凹部９ａのキャビネットボックス１の内側に突出する凸部９ｂに沿って長尺状の補強接合部材10を被せ、筐体の凹部９ａに設けられたリベット挿通孔９ｃと該補強接合部材10に設けられたリベット挿通孔10ａにリベット８を挿通してリベット止めすることで、筐体が補強接合部材10により補強される。
【００２１】
また、補強接合部材10がリベット止めされた部材以外の部材に該補強接合部材10の一部が接合されたことで、筐体を構成する部材同士、或いは筐体と他の部材とを補強接合部材10を介して強固に接合することが出来る。
【産業上の利用可能性】
【００２２】
本発明の活用例として、天板と側板と背面板と底板とを有し、前面側が開口した略矩形箱状に形成されたパチンコ台やスロット台等の遊戯機の筐体として使用されるキャビネットボックスに適用出来る。
【符号の説明】
【００２３】
１    …キャビネットボックス
２    …天板
３，４ …側板
３ａ，４ａ…張出部
５    …背面板
６    …底板
８    …リベット
８ａ  …頭部
８ｂ  …貫通路
８ｃ  …端部
９ａ  …凹部
９ｂ  …凸部
９ｃ  …リベット挿通孔
10    …補強接合部材
10ａ  …リベット挿通孔
10ｂ  …第２の接合片
10b1，10b2…接合部の両端部
10b3…頂点部
10ｃ  …リベット挿通孔
10ｄ  …溝部
10ｅ…第１の接合片
11    …引きピン
11ａ  …拡径部
11ｂ  …折曲部
11ｃ  …先端部
【図１】
2012085912.tif 000003
【図２】
2012085912.tif 000004
【図３】
2012085912.tif 000005
【図４】
2012085912.tif 000006
【図５】
2012085912.tif 000007
【図６】
2012085912.tif 000008
【図７】
2012085912.tif 000009
【図８】
2012085912.tif 000010